(57)【要約】【課題】コンロを使用した場合に調理者側からの外観が損なわることがなく、耐久性が良い排気フードを備えたコンロ用天板、コンロ及び排気フードユニットを提供する。【解決手段】コンロ１の上面を覆い、コンロバーナ２用のバーナ開口５と、加熱庫からの排気を排出する排出口６を有するコンロ用天板に、排出口６の前縁部から後上方に延びる排気フード１７と、その排気フード１７の下面側に空気層の間隔を存して、排気フード保護板１８とを設ける。【選択図】  図２
2005337525.tif 000002
【特許請求の範囲】
【請求項１】
コンロ本体の上面を覆い、コンロ部を有するコンロ用天板であって、該コンロ部の後方に、加熱庫からの排気を排出する排出口を有すると共に、その排出口の前縁部から後上方に延びる排気フードが設けられており、その排気フードの下面側に、空気層の間隔を存して、排気フード保護板が設けられていることを特徴とするコンロ用天板。
【請求項２】
上記排気フード保護板によって後方に向かう加熱庫からの排気の流れを上方に向かって転換させる、排出口の後縁部から上方に延びる整流板が設けられていることを特徴とする請求項１に記載のコンロ用天板。
【請求項３】
コンロ本体の上面が、コンロ部を有するコンロ用天板で覆われており、該コンロ用天板には、コンロ部の後方に、加熱庫からの排気を排出する排出口が形成されていると共に、その排出口の前縁部から後上方に延びる排気フードが設けられており、その排気フードの下面側に、空気層の間隔を存して、排気フード保護板が設けられていることを特徴とするコンロ。
【請求項４】
上記排気フード保護板によって後方に向かう加熱庫からの排気の流れを上方に向かって転換させる、排出口の後縁部から上方に延びる整流板が設けられていることを特徴とする請求項３に記載のコンロ。
【発明の詳細な説明】
【技術分野】
【０００１】
本発明は、コンロ本体の上面を覆うコンロ用天板であって、コンロバーナ用のバーナ開口を含むコンロ部の後方に、グリル庫等の加熱庫からの排気を排出する排出口が設けられたコンロ用天板、及びそのコンロ用天板を有するコンロに関する。
【背景技術】
【０００２】
従来、コンロ本体の上面を覆うコンロ用天板であって、コンロバーナ用のバーナ開口を含むコンロ部の後方に、グリル庫等の加熱庫からの排気を排出する排出口を有すると共に、その排出口の前縁部から後上方に延びる排気フードが設けられているものが知られている（例えば、特許文献１参照。）。
【特許文献１】特開平０９−０８９２７３号公報
【発明の開示】
【発明が解決しようとする課題】
【０００３】
しかし、上記従来のものでは、排気フードが排出口からの排気によって熱せられて変色及び変形し、調理者側である前方から見た場合の外観を損なうと共に、排気フードの耐久性が悪くなるといった問題がある。
【０００４】
そこで本発明は、上記の問題点に鑑み、調理者側からの外観が損なわることがなく、耐久性が良い排気フードを備えたコンロ用天板及びコンロを提供することを課題とする。
【課題を解決するための手段】
【０００５】
上記課題を解決するために請求項１記載の発明は、コンロ本体の上面を覆い、コンロ部を有するコンロ用天板であって、該コンロ部の後方に、加熱庫からの排気を排出する排出口を有すると共に、その排出口の前縁部から後上方に延びる排気フードが設けられており、その排気フードの下面側に、空気層の間隔を存して、排気フード保護板が設けられていることを特徴としている。
【０００６】
また、請求項２記載の発明は、請求項１に記載のコンロ用天板において、上記排気フード保護板によって後方に向かう加熱庫からの排気の流れを上方に向かって転換させる、排出口の後縁部から上方に延びる整流板が設けられていることを特徴としている。
【０００７】
また、請求項３記載の発明は、コンロであって、コンロ本体の上面が、コンロ部を有するコンロ用天板で覆われており、該コンロ用天板には、コンロ部の後方に、加熱庫からの排気を排出する排出口が形成されていると共に、その排出口の前縁部から後上方に延びる排気フードが設けられており、その排気フードの下面側に、空気層の間隔を存して、排気フード保護板が設けられていることを特徴としている。
【０００８】
また、請求項４記載の発明は、請求項３に記載のコンロであって、上記排気フード保護板によって後方に向かう加熱庫からの排気の流れを上方に向かって転換させる、排出口の後縁部から上方に延びる整流板が設けられていることを特徴としている。
【発明の効果】
【０００９】
本発明によれば、排出口からの排気は、排気フードの下面側に設けられた排気フード保護板にあたる。これにより排気フード保護板は高温になるが、排気フード保護板と排気フードとの間に設けられている空気層の間隔により、排気フード保護板と排気フードとが断熱され、排気フードは高温にならない。したがって、排気フードが変色及び変形することがなく、外観が損なわれないと共に、耐久性も良くなる。
【００１０】
また、上記排気フードによって後方に向かう加熱庫からの排気の流れを上方に向かって転換させる、排出口の後縁部から上方に延びる整流板を設ければ、コンロがコンロ後方の壁と近接して設置されている場合であっても、排出口からの排気によってコンロ後方の壁が熱せられることがない。
【発明を実施するための最良の形態】
【００１１】
以下、本発明を図示の実施の形態に基づいて説明する。
【００１２】
図１及び図２を参照して、１は、２口のコンロバーナ２と、グリル３とが組み込まれたビルトインコンロである。
【００１３】
ビルトインコンロ本体１ａの上面はコンロ用天板４で覆われており、このコンロ用天板４には、コンロバーナ２を臨ませる２つのバーナ開口５と、グリル３からの排気を排出する排出口６とが設けられている。なお、バーナ開口５の周囲には五徳７が設置されてコンロ部８を構成し、そのコンロ部８の後方に上記排出口６が設けられる。
【００１４】
コンロ用天板４は、上記バーナ開口４が設けられた面板としてのガラス板９と、その周縁部に取り付けられる枠体とで構成されている。枠体は、具体的には、ガラス板９の前縁に取り付けられる前縁枠１０と、ガラス板９の後縁に取り付けられる後縁枠１１と、ガラス板９の左縁及び前縁枠１０、後縁枠１１の左端にわたって取り付けられる左縁枠１２と、ガラス板９の右縁及び前縁枠１０、後縁枠１１の右端にわたって取り付けられる右縁枠１３とで構成されている。これら前縁枠１０、後縁枠１１、左縁枠１２、右縁枠１３は、アルミの押し出し成型品である。
後縁枠１１は、その長手方向と交差する方向、すなわち幅方向の長さが、前縁枠１０、左縁枠１２及び右縁枠１３の幅方向の長さよりも幅広に形成されている。そして、その後縁枠１１には上記排出口６が設けられており、この排出口６の前側の部分である前縁部１１ａがガラス板９の後縁に取り付けられ、排出口６の後側の部分である後縁部１１ｂがカウンタートップＫに載置される。
【００１５】
後縁枠１１の前縁部１１ａは、ガラス板９の後縁９ａを受け、シリコンコーキング材１４を充填するための角部１１ａ1を構成する水平部１１ａ2及び縦壁部１１ａ3を備えている。そして、その縦壁部１１ａ3には、排気フードユニット１５の取付手段として、長手方向にフードユニット取付穴１１ａ4が設けられており、この取付穴１１ａ4により、排気フードユニット１５が排出口６の前縁に取り付けられる。また、後縁枠１１の後縁部１１ｂは、下端１１ｂ1がカウンタートップＫに着座する上に凸の湾曲部１１ｂ2と、その湾曲部１１ｂ2の頂部から立ち下がって排出口６の後辺を画成する排出口後辺部１１ｂ3とを備えている。そして、湾曲部１１ｂ2の頂部には、整流板１６の取付手段として、長手方向にフードユニット整流板取付穴１１ｂ4が設けられており、この取付穴１１ｂ4により、整流板１６が排出口６の後縁に取り付けられる。
【００１６】
排気フードユニット１５は、上記フードユニット取付穴１１ａ4に取り付けられた場合に排出口６の前縁部１１ａから後上方に排出口６を覆うように延びる排気フード１７と、その排気フード１７の下面側に位置する排気フード保護板１８と、これら排気フード１７及び排気フード保護板１８の下端同士を接続する接続部１９と、その接続部１９の下面に設けられる取付凸部２０とで構成されている。
【００１７】
排気フード１７及び排気フード保護板１８は、長手方向の長さが後縁枠１１の長手方向の長さと略等しく形成されており、その下端から上端にかけて、上に凸の曲面状に形成されている。また、排気フード１７と排気フード保護板１８とは、その幅方向の長さが略等しく形成されている。排気フード１７と排気フード保護板１８との間には、所定の間隔、具体的には５ｍｍの間隔ｓが設けられており、この間隔ｓの空気層によって、排気フード１７と排気フード保護板１８との間が断熱される。なお、排気フード保護板１８の幅方向の長さは、排気フード１７に隠れて使用者から視認できない範囲内で、排気フード１７よりも長く形成しても良い（図２の１８´）。この場合、排気フード１７と排気フード保護板１８の幅方向の長さが等しい場合と比べ、排気フード１７を確実に排気から隔絶することができる。
【００１８】
取付凸部２０は、上記後縁枠１１のフードユニット取付穴１１ａ4に嵌入され、これによって排気フードユニット１５が後縁枠１１の前縁部１１ａに取り付けられる。
【００１９】
整流板１６は、上記整流板取付穴１１ｂ4に取り付けられた場合に後縁枠１１の後縁部１１ｂから垂直に延びる板状体に形成されている。整流板１６の下端には、取付凸部１６ａが形成されており、その取付凸部１６ａが上記整流板取付穴１１ｂ4に嵌入されて、整流板１６が後縁枠１１の後縁部１１ｂに、該後縁部１１ｂから上方に延びる態様で取り付けられる。
【００２０】
次に、本実施形態の作用について説明する。
【００２１】
ビルトインコンロ１のグリル３を使用すると、グリル３の排気が排出口６から排出される。この排気は、排出口６付近で２５０〜３００℃となる。排出口６からの排気は、排気フード１７下面側の排気フード保護板１８によって後方に導かれ、さらにその排気の流れは、整流板１６によって上方に向かって転換される。
【００２２】
このとき、排気は排気フード１７の下面側に配置された排気フード保護板１８にあたるので、排気フード１７には直接あたらない。そのため、排気フード１７の温度が過度に上昇することがなく、排気フード１７が変色及び変形することがない。したがって、調理者側から見た場合の外観が損なわれないと共に、排気フードの耐久性が悪くならない。
【００２３】
また、排気フード１７が、排出口６の前縁部１１ａから後上方に延びているので、コンロバーナ２を使用して調理する場合に、水分や油、具等が飛散したとしても、それらが排出口６に飛び込むのが防止される。
【００２４】
さらに、排出口６から後方に向かう排気の流れが整流板１６によって上方に向かって転換されるので、コンロ１がコンロ後方の壁と近接して設置されている場合でも、排出口６からの排気によって壁が熱せられることがない。
【００２５】
なお、上記実施形態では、後縁枠１１を幅広に形成して、その後縁枠１１に排出口６を設けているが、本発明はこれに限定されるものではなく、排出口６は、コンロ用天板４のコンロ部８の後方に設けられ、グリル３からの排気を排出可能な構造になっていればよい。例えば、図１及び図２に示した後縁枠１１に代えて、図３に示すように、ガラス板９の後縁に取り付けられる第１後縁枠２１と、その第１後縁枠２１の後方に所定間隔を存して設けられる第２後縁枠２２とを備えるようにしても良い。この場合、ガラス板９の左縁及び右縁、前縁枠１０及び第１、第２後縁枠２１、２２の左端及び右端にわたって左縁枠２３及び右縁枠２４がそれぞれ取り付けられ、第１後縁枠２１と第２後縁枠２２と左縁枠２３と右縁枠２４とで囲まれる部分が排出口６となる。そして、排出口６の前縁部となる第１後縁枠２１に排気フードユニット１５を取り付けるためのフードユニット取付穴２１ａが設けられ、排出口６の後縁部となる第２後縁枠２２に整流板１６を取り付けるための整流板取付穴２２ａが設けられる。
【００２６】
あるいは、図４に示すように、コンロ用天板３を、バーナ開口５や排出口６が設けられた１つのアルミ板等の金属の面板２５で構成しても良い。この場合、排出口６の前縁部２５ａに排気フードユニット１５を取り付けるためのフードユニット取付穴２５ａ1が設けられ、排出口の後縁部２５ｂに対して整流板１６を取り付けるための整流板取付穴２５ｂ1が設けられる。
【００２７】
なお、上記実施形態では、排気フードユニット１５及び整流板１６の取付手段として、排気フードユニット１５及び整流板１６側に凸部を設け、天板３側に取付穴を設けた例について説明したが、本発明はこれに限定されるものではなく、排気フードユニット１５及び整流板１６を確実に天板３に取付可能な構成であれば良い。例えば、排気フードユニット１５及び整流板１６側に穴部を設け、天板３側に取付凸部を設け、互いを嵌合させて排気フードユニット１５及び整流板１６を天板３に取り付けるようにしても良い。
【００２８】
また、これらの実施形態では、排気フード１７と排気フード保護板１８とを一体的に形成して排気フードユニット１５を形成し、その排気フードユニット１５を排出口６の前縁部１１ａ、２５ａに取り付けているが、本発明はこれに限定されるものではない。例えば、図５（ａ）に示すように、排気フード２６と排出口６の前縁部２７とを一体的に形成し、その一体的に形成した部材２８に対して排気フード保護板２９を装着するようにしても良い。この場合、排気フード保護板２９は、その下端を上記前縁部２７に取り付ける（図５（ａ））か、または排気フード２６と排気フード保護板２９とのそれぞれに形成された結合手段によって、排気フード板に取り付ける（図５（ｂ））のが好ましい。あるいは、図５（ｃ）に示すように、排出口６に対して着脱可能な環状の枠部材３０を設け、この枠部材３０の前部３０ａに排気フード保護板３１を設けても良い。この場合、枠部材３０の中央穴３０ｂによって排出口６が構成される。なお、図５（ｃ）において、上記前縁部２７に一体的に排気フード２６を設けず、枠部材３０に排気フード２６と排気フード保護板３１とを一体的に設けても良い。更に、枠部材３０に整流板１６を一体的に形成しても良い。
【００２９】
また、図６（ａ）に示すように、排気フード保護板３２と排出口６の前縁部３３とを一体的に形成し、その一体的に形成した部材３４に対して排気フード３５を装着するようにしても良い。この場合、排気フード３５は、その下端を上記前縁部３３に取り付ける（図６（ａ））か、または排気フード保護板３２に取り付ける（図６（ｂ））のが好ましい。
【００３０】
また、上記実施形態では、整流板１６を排出口６の後縁部１１ｂに取り付けているが、本発明はこれに限定されるものではない。例えば、図７に示すように、整流板３６と排出口６の後縁部１１ｂとを一体的に形成しても良い。この場合、整流板１６と共に、上記後縁枠１１に、排気フード１７及び排気フード保護板１８のうちの少なくとも一方を一体的に形成すれば、部品点数が少なくて済み、有利である。
【００３１】
なお、上記実施形態では、排出口６から排気を排出する加熱庫としてグリル３が組み込まれているビルトインコンロ１について説明したが、本発明はこれに限定されるものではなく、加熱庫としてのグリル３とコンロ１とが別体に設けられているものや、あるいはそのグリル３の代わりに加熱庫としてのオーブンが別体に設けられているものにも適用することができる。また、上記実施形態では、コンロ部８の熱源としてガスバーナの例で説明したが、電気ヒータ等の電気熱源を採用しても良い。
【００３２】
なお、本発明は前記実施形態のものに限定されるものではなく、必要に応じて種々変更することができる。
【図面の簡単な説明】
【００３３】
【図１】本発明の実施の形態に係るコンロを示す斜視図
【図２】排気口付近の断面図
【図３】本発明の他の形態に係るコンロを示す斜視図
【図４】本発明の他の形態に係るコンロを示す斜視図
【図５】本発明の他の形態に係るコンロの排気口付近の断面図
【図６】本発明の他の形態に係るコンロの排気口付近の断面図
【図７】本発明の他の形態に係るコンロの排気口付近の断面図
【符号の説明】
【００３４】
４  天板
６  排出口
８  コンロ部
１７  排気フード
１８  排気フード保護板
【図１】
2005337525.tif 000003
【図２】
2005337525.tif 000004
【図３】
2005337525.tif 000005
【図４】
2005337525.tif 000006
【図５】
2005337525.tif 000007
【図６】
2005337525.tif 000008
【図７】
2005337525.tif 000009